(57)【特許請求の範囲】
【請求項１】
構造物から吊り下げられ構造物側面に沿って移動されるゴンドラの周囲を囲んで落下や飛散を防止するゴンドラ用の養生装置であって、前記構造物側面側が開口し養生部材が取付けられる養生枠を前記ゴンドラの背部に振動伝達を緩和する弾性連結手段を介して取付けるとともに、この養生枠の開口部を構造物側面に密着固定する吸着機構を当該養生枠に設ける一方、前記養生枠の開口部を構成する縦枠材と横枠材とを変形吸収機構を介して連結したことを特徴とするゴンドラ用の養生装置。
【請求項２】
前記弾性連結部材をコイルばねまたはゴムで構成したことを特徴とする請求項１記載のゴンドラ用の養生装置。
【請求項３】
前記変形吸収機構をゴムまたは蝶番で構成したことを特徴とする請求項１記載のゴンドラ用の養生装置。
【発明の詳細な説明】
【０００１】
【産業上の利用分野】
この発明は、構造物の外壁面に沿って移動して作業を行う場合に使用されるゴンドラ用の養生装置に関し、特に構造物壁面全体を養生することが困難な高層構造物の養生装置として好適なものである。
【０００２】
【従来の技術】
構造物外壁面に対して塗装や洗浄などの外壁工事を行う場合に、仮設の組足場に替え、屋上などから吊り下げたワイヤロープを介して昇降するゴンドラやさらに横移動もできるゴンドラを設置して作業を行うことも多い。
【０００３】
このようなゴンドラに作業者が搭乗して作業を行う場合に、塗料や洗浄液などの落下や飛散を防止する必要があり、従来から養生装置が用いられている。
【０００４】
従来から使用されている養生装置としては、例えば構造物の外壁面と対向させて作業空間をあけ、養生台で底部を塞ぐとともに、ネットやシート等で外壁面全体を覆うようにしたものがある。
【０００５】
また、短時間に作業が済む場合などの簡易的な作業に対する養生装置の場合には、ゴンドラの周囲の手摺にネットやシート等を取付けて代用することも行われている。
【０００６】
【発明が解決しようとする課題】
ところが、構造物の外壁面全体を覆うように養生台とシートやネットとを設置する養生装置では、通常のビル等の外壁工事への適用には支障がないものの、高層ビルの外壁工事に適用しようとすると、外壁面全体をネットやシート等で覆って養生しなければならず、事実上、養生装置を設置することは不可能であるという問題がある。
【０００７】
また、簡易的にゴンドラの周囲の手摺にシート等を取付けて養生する装置では、養生できる範囲に限界があるとともに、沢山の水を使用する洗浄や動力機械を用いる壁面の剥離作業等を行うことは出来ず、養生した状態でできる作業にも制約がある。
【０００８】
さらに、簡易的な養生装置の場合には、作業にともなってゴンドラが揺れたりすると、ゴンドラが外壁面から離れて養生ができなくなってしまうという問題もある。
【０００９】
この発明は、上記従来技術の問題点に鑑みてなされたもので、ゴンドラ自体の周囲のみを養生することができ、高層構造物への適用も可能で外壁などに対して必要なあらゆる作業を行うことができるゴンドラ用の養生装置を提供しようとするものである。
【００１０】
【課題を解決するための手段】
上記課題を解決するため請求項１記載のゴンドラ用の養生装置の発明は、構造物から吊り下げられ構造物側面に沿って移動されるゴンドラの周囲を囲んで落下や飛散を防止するゴンドラ用の養生装置であって、前記構造物側面側が開口し養生部材が取付けられる養生枠を前記ゴンドラの背部に振動伝達を緩和する弾性連結手段を介して取付けるとともに、この養生枠の開口部を構造物側面に密着固定する吸着機構を当該養生枠に設ける一方、前記養生枠の開口部を構成する縦枠材と横枠材とを変形吸収機構を介して連結したことを特徴とするものである。
【００１１】
また、請求項２記載のゴンドラ用の養生装置の発明は、請求項１記載の構成に加え、弾性連結部材をコイルばね、またはゴムで構成したことを特徴とするものである。
【００１２】
さらに、請求項３記載のゴンドラ用の養生装置の発明は、請求項１記載の構成に加え、変形吸収機構をゴム、または蝶番で構成したことを特徴とするものである。
【００１３】
【作用】
この発明のゴンドラ用の養生装置によれば、ゴンドラの背部にゴンドラの周囲を囲むことができる養生枠を弾性連結手段を介して取付けるようにしてゴンドラ上での作業に伴う振動等が養生枠に伝達されることを緩和できるようにし、この養生枠にネットやシートなどの養生部材を取付けるようにしている。
【００１４】
さらに、この養生枠に吸着機構を取付けて構造物側面に吸着させて養生枠を固定できるようにするとともに、養生枠の構造物側面への密着面となる開口部を構成する縦枠材と横枠材とを変形吸収機構を介して連結するようにして変形や歪の影響を受けること無く密着できるようにしている。
【００１５】
これにより、ゴンドラの周囲を完全に養生することができ、高層構造物への適用やあらゆる作業への適用を可能としている。
【００１６】
また、コイルばね、またはゴムを用いることで弾性連結部材を構成することができ、ゴンドラからの振動の伝達を緩和して養生枠の密着固定状態を保持できるようにしている。
【００１７】
さらに、ゴム、または蝶番で変形吸収機構を構成して縦枠材と横枠材を連結するようにし、養生枠の開口部分を完全に構造物側面に密着できるようにし、落下や飛散が完全に防止できるようにしている。
【００１８】
【実施例】
以下、この発明の一実施例を図面に基づき詳細に説明する。
図１および図２はこの発明のゴンドラ用の養生装置の一実施例にかかり、図１は外観斜視図、図２は正面図及び側面図である。
【００１９】
このゴンドラ用の養生装置１０は、構造物１の屋上などに設置されるルーフカーに設けた巻取装置に連結されたワイヤロープ２を介して吊り下げられて昇降されるゴンドラ３や構造物１の屋上などに固定されたワイヤロープ２をゴンドラ４に設けたワインダに巻き掛けて昇降されるゴンドラ４など構造物側面に沿って昇降されるあらゆる形式のゴンドラ３，４に設置されて落下や飛散を防止するものである。
【００２０】
このゴンドラ用の養生装置１０は、構造物１の側面のある位置に停止したゴンドラ３，４上から作業を行うことが可能な範囲を覆うものであり、天井部分が傾斜した略直方体状に枠組みされた養生枠１１を備えている。
【００２１】
この養生枠１１の構造物１側の枠組み部分が開口部１１ａとされ、この開口部１１ａの大きさがゴンドラ３，４上からの作業に必要な範囲に形成されており、養生枠１１の奥行き（構造物側面に垂直方向の奥行き）がゴンドラ３，４の奥行きより余裕をもって大きく形成してある。
【００２２】
このような養生枠１１は、縦枠材１２および横枠材１３と、これらを連結して補強する図示しない斜材とで構成されており、養生枠１１の開口部１１ａを構成する縦枠材１２と横枠材１３以外は、ボルト・ナットや溶接などで連結されて枠組みされている。
【００２３】
一方、養生枠１１の開口部１１ａを構成する縦枠材１２と横枠材１３とは、開口部１１ａを構造物１の側面に密着した状態で設置する必要から変形吸収機構１４を介して連結されており、具体的には、図３（ａ），（ｂ）に示すように、縦枠材１２と横枠材１３とがゴムやコイルばね等の弾性のある中空弾性体１４ａを介して両端部のブラケット１４ｂ，１４ｃをボルト・ナットで締付けて連結することで開口部１１ａの縦枠材１２と横枠材１３と歪の影響を除去するようにしたり、縦枠材１２と横枠材１３とに蝶番部材１４ｄ，１４ｅを取付けて垂直軸回りに回動するピン１４ｆで連結することで蝶番１４ｇを構成して開口部１１ａの縦枠材１２と横枠材１３と歪の影響を除去するようにする。
【００２４】
このような養生枠１１には、開口部分と天井部分を除いて背面と左右の両側面の３つの面に養生部材１５としてネットやシート１５ａが取付けられるとともに、底部分の養生部材１５となる底板１５ｂが養生枠１１の下端部より上方に取付けてあり、落下物の落下や飛散物の飛散を防止できるようにしてある。
【００２５】
また、ゴンドラを用いて行う作業の内容によっては、作業空間を密閉した状態で養生する必要がある場合があり、この場合には、天井部分にも養生部材１５としてのネットやシート１５ａを取付けるようにする。なお、天井部分にシートを取付けるようにして雨天などでもその影響を受けずに作業を継続できるようにすることも可能である。
【００２６】
このようにして養生部材１５が取付けられた養生枠１１内には、ゴンドラ３，４が収納されるように配置され、ゴンドラ３，４の背面の手摺５と養生枠１１の背面の枠材１２（または枠材１３）との間に弾性連結手段１６が介挿されてゴンドラ３，４の振動が伝達されて養生枠１１の開口部１１ａが構造物１から離れることを極力防止できるようにしてある。
【００２７】
この弾性連結手段１６は、図４に具体的な構造を示すように、ゴンドラ３，４の手摺５と養生枠１１の平面の枠材である縦枠材１２との間に、両端部に取付板１６ａを備えたコイルばね１６ｂを介装して構成されたり、両端部に取付板１６ｃを備えた中空円筒状のゴム１６ｄを介挿して構成され、それぞれの取付板１６ａ，１６ｃを手摺５と縦枠材１２とにボルト・ナット等で取付けて構成される。
【００２８】
したがって、コイルばね１６ｂや中空円筒状のゴム１６ｄにより、ゴンドラ３，４の左右への振動や構造物１から離れたり接近する方向の振動の養生枠１１への伝達を極力防止するようになっている。
【００２９】
このような弾性連結手段１６でゴンドラ３，４と連結された養生枠１１を構造物１の側壁に密着させるため、養生枠１１の底板１５ｂの下側に吸着機構１７が設けてある。
【００３０】
この吸着機構１７は、養生枠１１の作業両側にそれぞれ先端に真空吸着パッド１７ａを備え、油圧又は空気圧シリンダ１７ｂで伸縮駆動されるように養生枠１１に取付けてあり、真空ポンプ１７ｃと油圧又は空気圧供給装置１７ｄも設置してある。
【００３１】
さらに、養生枠１１の開口部１１ａを構成する縦枠材１２及び横枠材１３の構造物１との対向面には、作業内容に応じて、図５中に示すように、スポンジゴム１８をブラシ状にするなどして取付けるようにして密着性の向上を図るようにする。
【００３２】
このように構成したゴンドラ用の養生装置１０では、次のようにしてゴンドラ作業に対する養生を行う。
【００３３】
まず、ゴンドラ３，４をルーフカー側の巻取装置やゴンドラ自体のワインダによって構造物１の作業を行う位置に昇降する（図５（ａ）参照）。
【００３４】
この後、真空ポンプ１７ｃと油圧又は空気圧供給装置１７ｄとを運転し、油圧又は空気圧シリンダ１７ｂのロッドを伸長して先端の真空吸着パッド１７ａを構造物１の側面に吸着させる（図５（ｂ）参照）。
【００３５】
次いで、真空吸着パッド１７ａを吸着させた状態で油圧又は空気圧シリンダ１７ｂのロッドを縮める（図５（ｃ）参照）。
【００３６】
すると、ロッドの先端の真空吸着パッド１７ａが構造物１の側面に吸着されて固定された状態であり、ゴンドラ３，４に養生枠１１が連結されて吊り下げられた状態であることから養生枠１１が構造物１の側面に引き寄せられ、開口部１１ａを密着させることができる。
【００３７】
この養生枠１１は真空吸着パッド１７ａが上下、左右の４箇所に取付けてあり、これらを構造物１に吸着させるため安定して固定することができるとともに、周囲のスポンジゴム１８によって壁面に密着させることができる。
【００３８】
こうして養生枠１１の開口部１１ａを構造物１の側面に密着させた後、ゴンドラ３，４内から構造物１の側面に対して作業を行う。そして、作業にともなって落下物や飛散物が生じても養生部材１５が取付けられた養生枠１１で作業空間が完全に覆われるとともに、開口部１１ａが密着しているので、落下や飛散を防止することができる。
【００３９】
また、ゴンドラ３，４上での作業に伴ってゴンドラ３，４が揺れることがあっても養生枠１１と弾性連結手段１６を介して連結してあるので、コイルばね１６ｂや中空円筒状のゴム１６ｄによって振動の伝達が緩和され、養生枠１１が離れることなどを防止して完全な養生状態を保持することができる。
【００４０】
したがって、ゴンドラ上からの作業の制約がなく、洗浄や剥離作業などの落下物や飛散物が多くなる作業も支障なく行うことができる。
【００４１】
また、高層ビルのようにビル全体を養生することが困難な場合にもゴンドラの周囲だけを養生してゴンドラ作業を行うことができる。
【００４２】
さらに、養生枠１１を吸着機構１７で構造物１の側面に吸着して使用するが、この養生枠１１とゴンドラ３，４とが弾性連結手段１６で連結してあるので、ゴンドラ自体の揺れも少なくなり、安定した状態で作業を行うことができる。
【００４３】
こうして、ゴンドラを停止して作業を行った後、次の作業位置に移動する場合には、作業開始とは逆に、真空吸着パッド１７ａの吸着を解放した後、ゴンドラ３，４を昇降するようにし、移動後は既に説明した手順にしたがって養生枠１１を密着状態にすれば良い。
【００４４】
なお、この出願の発明は、上記実施例に限らず、構造物の側面に沿って昇降だけでなく、横移動もできるゴンドラ等に広く適用することができる。
【００４５】
【発明の効果】
以上、一実施例とともに具体的に説明したようにこの発明のゴンドラ用の養生装置によれば、ゴンドラの背部にゴンドラの周囲を囲むことができる養生枠を弾性連結手段を介して取付けるようにしたので、ゴンドラ上での作業に伴う振動等が養生枠に伝達されることを緩和することができるとともに、この養生枠にネットやシートなどの養生部材を取付けることで、完全な養生を行うことができる。
【００４６】
さらに、この養生枠に吸着機構を取付けて構造物側面に吸着させて養生枠を固定できるようにするとともに、養生枠の構造物側面への密着面となる開口部を構成する縦枠材と横枠材とを変形吸収機構を介して連結するようにしたので、変形や歪の影響を受けること無く養生枠を密着させることができる。
【００４７】
これにより、ゴンドラの周囲を完全に養生することができ、高層構造物への適用やあらゆる作業への適用が可能となる。
【００４８】
また、コイルばねまたはゴムを用いて弾性連結部材を構成することで、ゴンドラからの振動の伝達を緩和して養生枠の密着固定状態を保持できるとともに、ゴンドラも安定した状態にして作業を行うことができる。
【００４９】
さらに、ゴムまたは蝶番で変形吸収機構を構成して縦枠材と横枠材を連結するようにしたので、養生枠の開口部分を完全に構造物側面に密着することができ、落下や飛散を完全に防止することができる。
【図面の簡単な説明】
【図１】この発明のゴンドラ用の養生装置の一実施例にかかる外観斜視図である。
【図２】この発明のゴンドラ用の養生装置の一実施例にかかる正面図及び側面図である。
【図３】この発明のゴンドラ用の養生装置の一実施例にかかる変形吸収機構の部分斜視図である。
【図４】この発明のゴンドラ用の養生装置の一実施例にかかる弾性連結手段の部分斜視図である。
【図５】この発明のゴンドラ用の養生装置の一実施例にかかる動作説明図である。
【符号の説明】
１  構造物
２  ワイヤロープ
３，４  ゴンドラ
５  手摺
１０  ゴンドラ用の養生装置
１１  養生枠
１１ａ  開口部
１２  縦枠材
１３  横枠材
１４  変形吸収機構
１４ａ  中空弾性体
１４ｂ，１４ｃ  ブラケット
１４ｄ，１４ｅ  蝶番部材
１４ｆ  ピン
１４ｇ  蝶番
１５  養生部材
１５ａ  ネット又はシート
１５ｂ  底板
１６  弾性連結部手段
１６ａ  取付板
１６ｂ  コイルばね
１６ｃ  取付板
１６ｄ  ゴム
１７  吸着機構
１７ａ  真空吸着パッド
１７ｂ  油圧又は空気圧シリンダ
１７ｃ  真空ポンプ
１７ｄ  油圧又は空気圧供給装置
１８  スポンジゴム
【図１】
0003555996.tif 000002
【図２】
0003555996.tif 000003
【図３】
0003555996.tif 000004
【図４】
0003555996.tif 000005
【図５】
0003555996.tif 000006